(57)【要約】      （修正有）【課題】コネクタの不完全な嵌合を防止するとともにその嵌合状態を維持することができる、汎用性のある簡単なコネクタ嵌合補助具を提供する。【解決手段】シート１０は、弾性素材である絶縁・耐熱性プラスチックとしてのＰＥＴから作られた、厚さ０．４ｍｍのものであり、開口部１１と固定部１２とを備えてなる。開口部１１は、長方形開口１１ａが設けられたものであり、コネクタ５０（基板５５に取り付けられた第１コネクタ５１にケーブル５６を有する第２コネクタ５２を基板面５５ａに対して平行な方向へ挿入することで両者を嵌合させて電気的接続を行うためのもの）が嵌合状態にあるときにコネクタ５０の平面輪郭の全部を包囲する部分である。固定部１２は、略方形の平面形状を有し、開口部１１に連なり第２コネクタ５２のケーブルを固定する部分である。【選択図】図２
2005216523.tif 000002
【特許請求の範囲】
【請求項１】
基板に固定される第１コネクタとケーブルを有する第２コネクタとが嵌合可能に構成されかつ嵌合状態で電気的に接続されるコネクタの嵌合補助シートであって、弾性素材から作られ、嵌合状態にあるコネクタの平面輪郭の全部あるいは大部分を包囲する開口部と、この開口部に連なり第２コネクタのケーブルを固定する固定部とを備えてなることを特徴とするコネクタの嵌合補助シート。
【請求項２】
前記弾性素材は、絶縁・耐熱性プラスチックである請求項１記載のコネクタの嵌合補助シート。
【請求項３】
前記開口部の開口寸法は、嵌合状態にあるコネクタの平面寸法に、嵌合の度合いが小さくなったときにも電気的接続を保証することができる隙間の平面寸法を加えたものであることを特徴とする請求項１または２記載のコネクタの嵌合補助シート。
【請求項４】
前記固定部は、ケーブルにおける基板に対向する面またはその反対面を固定することを特徴とする請求項１〜３のいずれか１つに記載のコネクタの嵌合補助シート。
【発明の詳細な説明】
【技術分野】
【０００１】
本発明は、コネクタの嵌合補助シートに関するものであり、さらに詳しくは、基板に固定される第１コネクタとケーブルを有する第２コネクタとが嵌合可能に構成されかつ嵌合状態で電気的に接続されるコネクタの嵌合補助シートに関するものである。
【背景技術】
【０００２】
従来、この種のコネクタとしては例えば、可撓性基板を回路板に着脱自在に接続するコネクタであって、相互に入れ子状に構成された第１ハウジング及び第２ハウジングを有し、第１ハウジングには可撓性基板の端部を受けるスロットが形成され、第２ハウジングは回路板に取り付けられ、底面の開口に弾性接続手段が挿入されるもの（特許文献１）や、雄形ハウジングの一側壁にピンを設け、雌形ハウジングのフードにピンが進退する溝を設けるとともにカムレバーを回転自在に設け、カムレバーの先端にピンと係合してレバーの回転操作により両ハウジングの嵌合および離脱を行う偏心カム溝を設け、偏心カム溝のピンに対する嵌合側作用面を両ハウジングの完全嵌合時においてピンの進行方向とほぼ直交するように形成したもの（特許文献２）が知られている。
【０００３】
【特許文献１】特開平６−２３１８３８号公報
【特許文献２】特開平４−７５２７２号公報
【０００４】
しかし、特許文献１または特許文献２に係るコネクタは、コネクタ自体にロック機構または不完全嵌合防止機構を設けるものであり、汎用性がないという問題点があった。
【発明の開示】
【発明が解決しようとする課題】
【０００５】
本発明が解決しようとする課題は、コネクタ自体に特別の機構を設けることなく、コネクタの不完全な嵌合を防止するとともにその嵌合状態を維持することができる、汎用性のある簡単なコネクタ嵌合補助具を提供することである。
【課題を解決するための手段】
【０００６】
本発明によれば、基板に固定される第１コネクタとケーブルを有する第２コネクタとが嵌合可能に構成されかつ嵌合状態で電気的に接続されるコネクタの嵌合補助シートであって、弾性素材から作られ、嵌合状態にあるコネクタの平面輪郭の全部あるいは大部分を包囲する開口部と、この開口部に連なり第２コネクタのケーブルを固定する固定部とを備えてなることを特徴とするコネクタの嵌合補助シートが提供される。
【０００７】
すなわち、本発明のコネクタの嵌合補助シートは、弾性素材から作られ、開口部と固定部とを備えてなる。開口部は、コネクタ（基板に固定される第１コネクタにケーブルを有する第２コネクタを例えば基板面に対して平行な方向へ挿入することで両者を嵌合させて電気的接続を行うためのもの）が嵌合状態にあるときその平面輪郭の全部あるいは大部分を包囲する部分である。固定部は、この開口部に連なり第２コネクタのケーブルを固定する部分である。
【０００８】
本発明のコネクタの嵌合補助シートには、次のような効果がある。すなわち、例えば第２コネクタをシートの開口部に嵌めた状態で第１コネクタに挿入するときには、シートはその弾性により第１コネクタの上に乗るように撓み、挿入作業の邪魔にならない。また、第２コネクタが第１コネクタに挿入されて両者が嵌合したときには、シートはその弾性により、撓んだ状態から第１コネクタを乗り越えて平坦な状態に復帰し、開口部が、第２コネクタと第１コネクタとの嵌合によるコネクタの平面輪郭の全部あるいは大部分を包囲するので、コネクタにその嵌合を解除する方向に外力が加わった場合にも嵌合状態を維持することができる。さらに、開口部に連なる固定部に第２コネクタのケーブルを固定すれば、ケーブルを有する第２コネクタの第１コネクタへの挿入を簡単かつ確実に行うことができる。
【０００９】
本発明のコネクタの嵌合補助シートは、前記弾性素材が絶縁・耐熱性プラスチックであるのが好ましい。この絶縁・耐熱性プラスチックとしては例えばポリエチレンテレフタレート（ＰＥＴ）が挙げられる。前記弾性素材がこのような絶縁・耐熱性プラスチックであるときには、製品である嵌合補助シートの絶縁性および耐熱性を確保することができる。
【００１０】
本発明のコネクタの嵌合補助シートにおける前記開口部の開口寸法は、嵌合状態にあるコネクタの平面寸法に、嵌合の度合いが小さくなったときにも電気的接続を保証することができる隙間の平面寸法を加えたものであるのが好ましい。前記開口部がこのような開口寸法を有するときには、前記隙間を利用して第２コネクタと第１コネクタとの嵌合作業をいっそう容易に行うことができる。
【００１１】
本発明のコネクタの嵌合補助シートにおける前記固定部は、ケーブルにおける基板に対向する面またはその反対面を固定するように構成するのがいっそう好ましい。このように構成された固定部によれば、ケーブルの種類（バラ線状ケーブルやフラット状ケーブルなど）に応じた所望の方法でケーブルを固定することができる。
【発明を実施するための最良の形態】
【００１２】
以下、本発明を実施するための最良の形態として２つの実施例を示す。なお、本発明はこれらの実施例によって限定されるものではない。
【実施例１】
【００１３】
図１は、実施例１に係るコネクタの嵌合補助シート１０を示す斜視図である。図２（ａ）〜（ｃ）は、図１のシート１０を用いて嵌合されるコネクタの嵌合前、嵌合中および嵌合後の各状態を示す斜視図である。図３（ａ）〜（ｃ）は、図２の各状態を示す平面図および側面図である。図４は、図１のシート１０を用いて嵌合されるコネクタが図３（ｃ）の状態にあるときの一部拡大平面図である。図５は、図１のシート１０を用いて嵌合されるコネクタが図３（ａ）の状態にあるときの斜視図である。
【００１４】
図１のシート１０は、弾性素材である絶縁・耐熱性プラスチックとしてのＰＥＴから作られた、厚さ０．４ｍｍのものであり、開口部１１と固定部１２とを備えてなる。
【００１５】
開口部１１は、長方形開口１１ａが設けられたものであり、図２（ａ）〜（ｃ）に示すコネクタ５０（基板５５に固定される第１コネクタ５１にフラット状ケーブル５６を有する第２コネクタ５２を基板面５５ａに対して平行な方向へ挿入することで両者を嵌合させて電気的接続を行うためのもの）が嵌合状態にあるときにコネクタ５０の平面輪郭の全部を包囲する部分である。第１コネクタ５１および第２コネクタ５２はいずれも、平面形状が略長方形である。固定部１２は、略方形の平面形状を有し、開口部１１に連なり第２コネクタ５２のケーブルを固定する部分である。
【００１６】
このシート１０は、図２（ａ）〜（ｃ）および図３（ａ）〜（ｃ）に示すように、それ自体の弾性で平坦な状態を保つことができるとともに、外力が加わるとコネクタ５０の厚さ以上に撓むことができる。
【００１７】
次に、このシート１０の使用方法について説明する。使用者はまず、図２（ａ）および図３（ａ）に示すように、シート１０における開口部１１の開口１１ａに第２コネクタ５２を嵌め込む。そして、第２コネクタ５２の両端部およびケーブル側の縁部を開口１１ａの固定部１２寄り部分に当接させた状態で、固定部１２の上面にケーブル５６の基板対向面（下面）５６ａを接着剤で貼り付けて固定する。次いで、シート１０の固定部１２の下面と固定部１２の上面に固定されたケーブル５６の上面とを指で挟み持つ。
【００１８】
その後、図２（ｂ）および図３（ｂ）に示すように、基板５５の端縁寄り個所に取り付けられた第１コネクタ５１にシート１０における開口部１１の先端側の縁部を当接させる。すると、シート１０は、それ自体の弾性により上方へ撓み、第１コネクタ５１に乗ることになるので、そのまま第２コネクタ５２を第１コネクタ５１の方向へ押し進める。
【００１９】
そして、図２（ｃ）および図３（ｃ）に示すように、第２コネクタ５２を第１コネクタ５１に挿入することで両者を嵌合させて、コネクタ５０による電気的接続を行う。これにより、シート１０は、それ自体の弾性で、第１コネクタ５１を乗り越えて平坦な状態に復帰する。このとき、シート１０は、開口部１１の開口１１ａにコネクタ５０が嵌まり込み、開口部１１がコネクタ５０の平面輪郭（略長方形）の全部を包囲する状態になる。
【００２０】
したがって、このシート１０によれば、コネクタ５０にその嵌合を解除する方向に外力が加わった場合にも嵌合状態を維持することができる。また、第２コネクタ５２と第１コネクタ５１との嵌合が不完全な状態であれば、シート１０が第１コネクタ５１に乗った状態のままで、平坦な状態に復帰しないため、使用者は嵌合が不完全であることを明確に知ることができる。
【００２１】
さらに、図４に示すように、シート１０における開口部１１の開口１１ａの寸法は、嵌合状態にあるコネクタ５０の平面寸法に、嵌合の度合いが小さくなったときにも電気的接続を保証することができる隙間１５の平面寸法（寸法Ａおよび寸法Ｂ）を加えたものである。
【００２２】
すなわち、図４の寸法Ａ（コネクタ５０の平面輪郭とシート１０の開口部１１におけるコネクタ嵌合方向の隙間の寸法）は、第２コネクタ５２が第１コネクタ５１から抜け始めてコネクタ５０の嵌合の度合いが小さくなったときにも電気的接続を保証することができる所定寸法以下になっている。この寸法Ａは、大きければ大きいほど、第１コネクタ５１への第２コネクタ５２の挿入作業がいっそう容易になる。なお、コネクタ５０の幅方向に関する寸法Ｂ（コネクタ５０の平面輪郭とシート１０の開口部１１におけるコネクタ５０幅方向の隙間の寸法）は、嵌合の機能を発揮するためのものであるが、大きすぎると嵌合の安定度が損なわれる。
【００２３】
なお、このシート１０は、図５にも示すように、固定部１２の上面にケーブル５６の基板対向面（下面）５６ａを接着剤で貼り付けて固定されている。しかし、このシート１０は、図６に示すように、ケーブル６６が複数本のバラ線からなるものであるときなどには、固定部１２の上面に貼られた両面接着テープ１７にケーブル６６の一部を貼り付け、さらにその上からラミネートテープ１８を貼ってケーブル６６のバラ線を等ピッチに配置することができるようにしてもよい。
【実施例２】
【００２４】
図７は、実施例２に係るコネクタの嵌合補助シート２０を示す斜視図である。このシート２０は、弾性素材である絶縁・耐熱性プラスチックとしてのＰＥＴから作られた、厚さ０．４ｍｍのものであり、開口部２１と固定部２２とを備えてなる。開口部２１は、実施例１に係るシート１０の開口部１１の一方側縁が一部切り欠かれた略「コ」字形状をしており、内側に開口２１が設けられている。すなわち、開口部２１は、嵌合状態にあるコネクタ５０の平面輪郭の大部分を包囲する。シート２０は、その強度が十分にあるので、このような開口部２１の形状も可能である。固定部２２は、実施例１に係るシート１０の開口部１１と同様に構成されている。
【００２５】
このシート２０の作用および効果は、実施例１に係るシート１０のそれらと実質的に同じであるので、詳しい説明は省略する。
【産業上の利用可能性】
【００２６】
本発明のコネクタの嵌合補助シートは、プリント配線基板などに固定された第１コネクタにケーブルを有する第２コネクタを嵌合させて両者を嵌合状態で電気的に接続するコネクタの不完全な嵌合を防止するためや嵌合状態を維持するためなどに広く利用される。
【図面の簡単な説明】
【００２７】
【図１】図１は、本発明の実施例１に係るコネクタの嵌合補助シートを示す斜視図である。
【図２】図２（ａ）〜（ｃ）は、図１のシートを用いて嵌合されるコネクタの嵌合前、嵌合中および嵌合後の各状態を示す斜視図である。
【図３】図３（ａ）〜（ｃ）は、図２の各状態を示す平面図および側面図である。
【図４】図４は、図１のシートを用いて嵌合されるコネクタが図３（ｃ）の状態にあるときの一部拡大平面図である。
【図５】図５は、図１のシートを用いて嵌合されるコネクタが図３（ａ）の状態にあるときの斜視図である。
【図６】図６は、図１のシートの固定部にケーブルを固定する別の方法を示す斜視図である。
【図７】図７は、本発明の実施例２に係るコネクタの嵌合補助シートを示す斜視図である。
【符号の説明】
【００２８】
１０    シート
１１    開口部
１１ａ  開口
１２    固定部
２０    シート
２１    開口部
２１ａ  開口
２２    固定部
５０    コネクタ
５１    第１コネクタ
５２    第２コネクタ
５５    基板
５６    ケーブル
【図１】
2005216523.tif 000003
【図２】
2005216523.tif 000004
【図３】
2005216523.tif 000005
【図４】
2005216523.tif 000006
【図５】
2005216523.tif 000007
【図６】
2005216523.tif 000008
【図７】
2005216523.tif 000009